(57)【要約】【課題】冷却対象を効率よく冷却できるプロジェクターを提供すること。【解決手段】画像を投射するプロジェクター１Ａは、光源装置３１と、光源装置３１から出射された光束を変調する光変調装置３３と、変調された光束を投射する投射光学装置３５と、所定の冷却対象を冷却する冷却装置４Ａと、を備える。冷却装置４Ａは、投射光学装置による光束の投射方向（Ｐ方向）に沿う複数のヒートパイプ４２を備え、それぞれのヒートパイプ４２は、冷却対象にて発生された熱が伝導される受熱部と、受熱部に伝導された熱が伝導される放熱部とを有し、複数のヒートパイプには、受熱部に対して投射方向先端側に放熱部が位置する第１ヒートパイプ４２１と、受熱部に対して投射方向基端側に放熱部が位置する第２ヒートパイプ４２２と、が含まれる。【選択図】図１
2013025212.tif 000002
【特許請求の範囲】
【請求項１】
画像を投射するプロジェクターであって、
光源装置と、
前記光源装置から出射された光束を変調する光変調装置と、
変調された前記光束を投射する投射光学装置と、
所定の冷却対象を冷却する冷却装置と、を備え、
前記冷却装置は、前記投射光学装置による前記光束の投射方向に沿う複数のヒートパイプを備え、
それぞれの前記ヒートパイプは、
前記冷却対象にて発生された熱が伝導される受熱部と、
前記受熱部に伝導された熱が伝導される放熱部とを有し、
前記複数のヒートパイプには、
前記受熱部に対して前記投射方向先端側に前記放熱部が位置する第１ヒートパイプと、
前記受熱部に対して前記投射方向基端側に前記放熱部が位置する第２ヒートパイプと、が含まれる
ことを特徴とするプロジェクター。
【請求項２】
請求項１に記載のプロジェクターにおいて、
前記冷却装置は、それぞれ伝導された熱を放熱する第１放熱部材及び第２放熱部材を備え、
前記第１ヒートパイプの放熱部は、前記第１放熱部材に熱伝導可能に接続され、
前記第２ヒートパイプの放熱部は、前記第２放熱部材に熱伝導可能に接続されている
ことを特徴とするプロジェクター。
【請求項３】
請求項２に記載のプロジェクターにおいて、
前記冷却装置は、
前記第１放熱部材及び前記第２放熱部材にそれぞれ冷却空気を送風する冷却ファンと、
前記冷却ファン、前記第１放熱部材及び前記第２放熱部材を内部に収納し、前記冷却空気が内部を流通するダクトと、を備える
ことを特徴とするプロジェクター。
【請求項４】
請求項３に記載のプロジェクターにおいて、
前記冷却ファンは、前記第１放熱部材と前記第２放熱部材との間に設けられ、
前記第１放熱部材及び前記第２放熱部材のうち、
一方は、前記ダクト内において前記冷却ファンの吸気側に配置され、
他方は、前記ダクト内において前記冷却ファンの排気側に配置されている
ことを特徴とするプロジェクター。
【請求項５】
請求項４に記載のプロジェクターにおいて、
前記第１ヒートパイプ及び前記第２ヒートパイプのうち少なくともいずれかは、前記第１放熱部材及び前記第２放熱部材が、前記ダクト内で対向するように屈曲形成されている
ことを特徴とするプロジェクター。
【請求項６】
請求項５に記載のプロジェクターにおいて、
前記第１ヒートパイプ及び前記第２ヒートパイプは、それぞれ前記受熱部と前記放熱部との間に、鈍角で屈曲する屈曲部を有する
ことを特徴とするプロジェクター。
【発明の詳細な説明】
【技術分野】
【０００１】
本発明は、プロジェクターに関する。
【背景技術】
【０００２】
従来、光源装置と、当該光源装置から出射された光束を変調して画像情報に応じた画像を形成する光変調装置と、当該画像をスクリーン等の被投射面上に拡大投射する投射光学装置とを備えたプロジェクターが知られている。このようなプロジェクターは、光源装置や制御装置等の熱源を有するが、このような熱源を効果的に冷却しないと、プロジェクターの動作に不具合が生じる可能性がある。
【０００３】
これに対し、光源装置に当接される吸熱ブロックと、当該吸熱ブロックに一端が熱伝導可能に接続され、投射光学装置（投影光学手段）により投射される光束の中心軸に沿って延出するヒートパイプと、当該ヒートパイプの他端に取り付けられた放熱フィンとを有する冷却装置を備えたプロジェクターが知られている（例えば、特許文献１参照）。
この特許文献１に記載のプロジェクターでは、光源装置で生じた熱が吸熱ブロックを介して、ヒートパイプの一端に伝導される。この熱は、ヒートパイプ内の媒体により他端に伝導され、放熱フィンにより放熱される。このような構成により、冷却対象である光源装置が冷却される。
【０００４】
ここで、ヒートパイプは、吸熱側が放熱側に対して高い位置にあると、当該吸熱側の熱が放熱側に伝導されにくい。一方、プロジェクターは、設置台等に載置された姿勢である正置き姿勢や、正置き姿勢とは上下を逆にして天井等に固定される天吊り姿勢で利用されることがある。更に、プロジェクターは、当該各姿勢において、投射光学装置による光束の投射方向が水平面に対して傾斜する傾斜状態で利用される場合が多い。
【０００５】
このため、特許文献１では、正置き姿勢で利用されるプロジェクターにおいては、投射方向に略平行にヒートパイプを設け、傾斜状態で下側となる投射方向基端側に吸熱側の端部を位置させ、上側となる投射方向先端側に放熱側の端部を位置させている。
一方、同文献では、天吊り姿勢で利用されるプロジェクターにおいては、投射方向に略平行にヒートパイプを設け、傾斜状態で上側となる投射方向基端側に放熱側の端部を位置させ、当該傾斜状態で下側となる投射方向先端側に吸熱側の端部を位置させている。
【先行技術文献】
【特許文献】
【０００６】
【特許文献１】特開２００７−２４９３９号公報
【発明の概要】
【発明が解決しようとする課題】
【０００７】
しかしながら、特許文献１に記載のプロジェクターは、正置き姿勢で用いられるプロジェクターと、天吊り姿勢で用いられるプロジェクターとで、ヒートパイプにおける吸熱側の端部と放熱側の端部との位置が異なる。このため、正置き姿勢のプロジェクターを天吊り姿勢で用いると、冷却対象の冷却効率が低下し、プロジェクターの動作に問題が生じる可能性がある。このため、設置姿勢に応じたプロジェクターを用意する必要があるという問題がある。
【０００８】
本発明の目的は、冷却対象を効率よく冷却できるプロジェクターを提供することである。
【課題を解決するための手段】
【０００９】
前記した目的を達成するために、本発明のプロジェクターは、画像を投射するプロジェクターであって、光源装置と、前記光源装置から出射された光束を変調する光変調装置と、変調された前記光束を投射する投射光学装置と、所定の冷却対象を冷却する冷却装置と、を備え、前記冷却装置は、前記投射光学装置による前記光束の投射方向に沿う複数のヒートパイプを備え、それぞれの前記ヒートパイプは、前記冷却対象にて発生された熱が伝導される受熱部と、前記受熱部に伝導された熱が伝導される放熱部とを有し、前記複数のヒートパイプには、前記受熱部に対して前記投射方向先端側に前記放熱部が位置する第１ヒートパイプと、前記受熱部に対して前記投射方向基端側に前記放熱部が位置する第２ヒートパイプと、が含まれることを特徴とする。
【００１０】
このような冷却対象としては、光源装置及び光変調装置を例示できる。この他、プロジェクター全体の動作を制御する制御装置や、当該プロジェクターの構成部品に適した電圧を供給する電源装置も冷却対象となり得る。
【００１１】
本発明によれば、ヒートパイプには、冷却対象で生じた熱が伝導される受熱部に対して、投射光学装置による光束の投射方向先端側に放熱部が位置する第１ヒートパイプと、受熱部に対して当該投射方向基端側に放熱部が位置する第２ヒートパイプとが含まれる。
これによれば、プロジェクターが前述の正置き姿勢で、かつ、投射方向先端側が基端側に対して上側に位置する上向き傾斜状態にある場合、第１ヒートパイプの受熱部が放熱部に比べて低い位置となるので、当該第１ヒートパイプによる熱伝導を適切に行うことができる。また、当該正置き姿勢で、かつ、投射方向先端側が基端側に対して下側に位置する下向き傾斜状態である場合には、第２ヒートパイプの受熱部が放熱部に比べて低い位置となるので、当該第２ヒートパイプによる熱伝導を適切に行うことができる。
【００１２】
一方、プロジェクターが前述の天吊り姿勢で、かつ、下向き傾斜状態にある場合、第２ヒートパイプの受熱部が放熱部に比べて低い位置となるので、当該第２ヒートパイプによる熱伝導を適切に行うことができる。また、当該天吊り姿勢で、かつ、上向き傾斜状態にある場合、第１ヒートパイプの受熱部が放熱部に比べて低い位置となるので、当該第１ヒートパイプによる熱伝導を適切に行うことができる。
このように、プロジェクターの姿勢及び傾斜状態に依らずに、第１ヒートパイプ及び第２ヒートパイプの少なくともいずれかによる熱伝導が効率よく行われるので、冷却対象で生じた熱を当該冷却対象から効果的に伝導させることができる。従って、冷却対象を効率よく冷却できる。
【００１３】
本発明では、前記冷却装置は、それぞれ伝導された熱を放熱する第１放熱部材及び第２放熱部材を備え、前記第１ヒートパイプの放熱部は、前記第１放熱部材に熱伝導可能に接続され、前記第２ヒートパイプの放熱部は、前記第２放熱部材に熱伝導可能に接続されていることが好ましい。
本発明によれば、第１ヒートパイプの放熱部に第１放熱部材が熱伝導可能に接続され、第２ヒートパイプの放熱部に第２放熱部材が熱伝導可能に接続されていることにより、第１ヒートパイプ及び第２ヒートパイプの一方のみが機能する場合でも、当該一方のヒートパイプに接続された放熱部材により、受熱部から放熱部に伝導された熱を効率よく放熱できる。従って、より効率よく冷却対象を冷却できる。
【００１４】
本発明では、前記冷却装置は、前記第１放熱部材及び前記第２放熱部材にそれぞれ冷却空気を送風する冷却ファンと、前記冷却ファン、前記第１放熱部材及び前記第２放熱部材を内部に収納し、前記冷却空気が内部を流通するダクトと、を備えることが好ましい。
本発明によれば、冷却ファンと、第１放熱部材及び第２放熱部材とがダクト内に設けられているので、冷却ファンにより第１放熱部材及び第２放熱部材に送風される冷却空気の損失を抑制できる。従って、第１放熱部材及び第２放熱部材の冷却効果を高めることができ、ひいては、冷却対象を効率よく冷却できる。
【００１５】
本発明では、前記冷却ファンは、前記第１放熱部材と前記第２放熱部材との間に設けられ、前記第１放熱部材及び前記第２放熱部材のうち、一方は、前記ダクト内において前記冷却ファンの吸気側に配置され、他方は、前記ダクト内において前記冷却ファンの排気側に配置されていることが好ましい。
本発明によれば、ダクト内において、第１放熱部材及び第２放熱部材のうちの一方が、冷却ファンの吸気側に配置され、他方が冷却ファンの排気側に配置されている。これによれば、第１放熱部材及び第２放熱部材に対して、１つの冷却ファンにより冷却空気を送風できる。従って、冷却装置の構成を簡略化でき、製造コストを低減できる。
また、ダクト内における第１放熱部材と第２放熱部材との間に冷却ファンが設けられているので、当該冷却ファンの駆動によって生じる騒音を外部に漏れにくくすることができる。従って、プロジェクターの低騒音化を図ることができる。
【００１６】
本発明では、前記第１ヒートパイプ及び前記第２ヒートパイプのうち少なくともいずれかは、前記第１放熱部材及び前記第２放熱部材が、前記ダクト内で対向するように屈曲形成されていることが好ましい。
本発明によれば、第１放熱部材及び第２放熱部材がダクト内で対向するように配置されているので、これら第１放熱部材及び第２放熱部材に対して、直線的に冷却空気を送風できる。従って、当該冷却空気の流路が屈曲する場合に比べ、冷却空気の流通時における風圧及び風量の損失を抑制でき、第１放熱部材及び第２放熱部材の冷却効率、ひいては、冷却対象の冷却効率を向上できる。
【００１７】
本発明では、前記第１ヒートパイプ及び前記第２ヒートパイプは、それぞれ前記受熱部と前記放熱部との間に、鈍角で屈曲する屈曲部を有することが好ましい。
なお、屈曲部の角度は、屈曲部から受熱部が延出する方向と、当該屈曲部から放熱部が延出する方向とのなす角のうち、小さい方の角度をいう。
ここで、屈曲部の角度に応じて、当該屈曲部から放熱部材を取付可能な位置が変化する。具体的に、屈曲部の角度が、直角以下である場合に比べて直角より大きな角度である場合には、より屈曲部に近い位置に放熱部材を取り付けることができる。
このため、本発明では、受熱部及び放熱部の間の屈曲部の角度は、鈍角に設定されている。これによれば、屈曲部に一層近い位置に放熱部材を取り付けることができ、ひいては、冷却対象に近い位置に放熱部材を取り付けることができる。従って、冷却対象を一層効果的に冷却できる。
さらに、屈曲部が鈍角で屈曲していることにより、当該屈曲部が直角で屈曲している場合での放熱部の長さ寸法と同じ場合でも、受熱部の延出方向に沿う直線と放熱部における屈曲部側とは反対側の端部との距離を短縮できる。従って、冷却装置を小型化でき、ひいては、プロジェクターを小型化できる。
【図面の簡単な説明】
【００１８】
【図１】本発明の第１実施形態に係るプロジェクターの構成を示す模式図。
【図２】前記実施形態における冷却装置を示す斜視図。
【図３】前記実施形態における冷却装置を示す斜視図。
【図４】前記実施形態における冷却装置を示す平面図。
【図５】本発明の第２実施形態に係るプロジェクターの冷却装置を示す斜視図。
【図６】前記実施形態における冷却装置を示す平面図。
【発明を実施するための形態】
【００１９】
［第１実施形態］
以下、本発明の第１実施形態について、図面に基づいて説明する。
〔プロジェクターの全体構成〕
図１は、本実施形態に係るプロジェクター１Ａの構成を示す模式図である。
本実施形態に係るプロジェクター１Ａは、内部に設けられた光源装置３１から出射された光束を変調して画像情報に応じた画像を形成し、当該画像をスクリーン等の被投射面上に拡大投射するものである。このようなプロジェクター１Ａは、図１に示すように、筐体２と、当該筐体２内に収納配置される光学装置３及び冷却装置４Ａとを備える。この他、図示を省略するが、プロジェクター１Ａは、プロジェクター１Ａ全体を制御する制御装置、及び、プロジェクター１Ａの構成部品に電力を供給する電源装置等を備える。
【００２０】
〔筐体の構成〕
筐体２は、合成樹脂又は金属により形成された全体略直方体形状の筐体である。この筐体２は、正面２１、背面２２、左側面２３及び右側面２４と、天面及び底面（ともに図示省略）とを有する。
これらのうち、正面２１には、光学装置３を構成する投射光学装置３５が露出する開口２１１が形成され、当該開口２１１を介して画像が投射される。この他、正面２１には、後述する冷却装置４Ａにより冷却対象の冷却に供された空気が排出される排気口２１２が形成されている。また、左側面２３には、筐体２外から冷却空気が導入される吸気口２３１が形成されている。
なお、図示を省略するが、筐体２の底面には、設置面及び天井等に当接される脚部が設けられている。
【００２１】
〔光学装置の構成〕
光学装置３は、前述の制御装置から入力される画像情報に応じた画像を形成及び投射する。この光学装置３は、光源装置３１、色分離光学装置３２、光変調装置３３、色合成光学装置３４及び投射光学装置３５を有する。この他、光学装置３は、図示を省略するが、光源装置３１と色分離光学装置３２との間に設けられる均一照明光学装置を備える。この均一照明光学装置は、光源装置３１から出射された光束の中心軸に対する直交面内の照度を均一化するものであり、一対のレンズアレイ及び重畳レンズを有する他、入射された光の偏光方向を一種類に揃える偏光変換素子を有する構成を例示できる。
【００２２】
光源装置３１は、均一照明光学装置を介して、色分離光学装置３２に向けて光束を出射する。この光源装置３１は、本実施形態では、基板３１１、反射部３１２及び集光レンズ３１３とを有する。
基板３１１には、固体光源（図示省略）が複数配列されている。このような固体光源としては、レーザーダイオード及びＬＥＤ（Light Emitting Diode）を例示できる。
反射部３１２は、基板３１１における固体光源の実装面に対向配置されている。この反射部３１２の内部には、図示を省略するが、各固体光源から出射された光を集光レンズ３１３に向けてそれぞれ略平行に反射させる複数のミラーが設けられている。
集光レンズ３１３は、反射部３１２を介して入射される光を集光し、光束として出射する。
【００２３】
色分離光学装置３２は、入射される光束から赤（Ｒ）、緑（Ｇ）及び青（Ｂ）の各色光を分離し、当該各色光を光変調装置３３（３３Ｒ，３３Ｇ，３３Ｂ）に入射させる。この色分離光学装置３２は、ダイクロイックミラー３２１，３２３と、全反射ミラー３２２，３２４，３２５を有する。
ダイクロイックミラー３２１は、入射される光のうち、青色光を反射させ、他の光を透過させる。これにより反射された青色光は、青色光用の光変調装置３３（３３Ｂ）に入射される。一方、ダイクロイックミラー３２１を透過した光は、全反射ミラー３２２により光路が９０度曲げられ、ダイクロイックミラー３２３に入射される。
【００２４】
ダイクロイックミラー３２３は、入射される光のうち、緑色光を反射させ、赤色光を透過させる。これにより反射された緑色光は、緑色光用の光変調装置３３（３３Ｇ）に入射される。一方、ダイクロイックミラー３２３を透過した赤色光は、全反射ミラー３２４，３２５を介して、赤色光用の光変調装置３３（３３Ｒ）に入射される。
なお、図示を省略したが、緑色光及び赤色光は、青色光に比べて、光変調装置３３に到達するまでの光路が長いため、これら色光の光路上に光の損失を抑制するリレーレンズを配置してもよい。
【００２５】
光変調装置３３（赤、緑及び青の各色光用の光変調装置を、それぞれ３３Ｒ，３３Ｇ，３３Ｂとする）は、色分離光学装置３２によって分離される各色光ごとに設けられる。これら光変調装置３３は、入射される光を変調し、前述の制御装置から入力される画像情報に応じた画像を形成する。このような光変調装置３３は、図示を省略するが、液晶パネルと、当該液晶パネルを挟む一対の偏光板とを有する構成を例示できる。
【００２６】
色合成光学装置３４は、各光変調装置３３により変調された色光を合成する。この色合成光学装置３４は、本実施形態では、クロスダイクロイックプリズムにより構成され、３つの入射面を介して入射された各色光を合成し、合成した光（画像光）を投射光学装置３５に対向する出射面から出射する。
投射光学装置３５は、色合成光学装置３４により合成された光を前述の被投射面上に拡大投射する。この投射光学装置３５は、鏡筒と、当該鏡筒内に配置された複数のレンズとを有する組レンズとして構成されている。
【００２７】
〔冷却装置の構成〕
図２は、冷却装置４Ａを示す斜視図である。なお、図２においては、ダクト４５の一部を取り外した状態の冷却装置４Ａを図示している。
冷却装置４Ａは、冷却対象である光源装置３１（詳しくは、基板３１１）を冷却する。この冷却装置４Ａは、図１及び図２に示すように、受熱体４１、複数のヒートパイプ４２、一対の放熱フィン４３、冷却ファン４４及びダクト４５を備える。
【００２８】
〔ダクトの構成〕
ダクト４５は、合成樹脂により形成された筒状体であり、筐体２に形成された吸気口２３１と排気口２１２とを接続する。このダクト４５内には、一対の放熱フィン４３及び冷却ファン４４が収納される。このダクト４５は、当該ダクト４５内を流通する冷却空気の流通方向が、投射光学装置３５による光束の投射方向であるＰ方向に沿うように形成されている。
【００２９】
〔受熱体の構成〕
図３は、図２とは反対側から見た冷却装置４Ａを示す斜視図である。また、図４は、冷却装置４Ａを示す平面図である。なお、図３においては、冷却ファン４４及びダクト４５の図示を省略し、図４においては、ダクト４５の図示を省略している。
受熱体４１は、前述の基板３１１における少なくとも固体光源が配列された領域と熱伝導可能に接続され、当該基板３１１にて生じた熱を受熱する。この受熱体４１は、熱伝導性を有する金属により横長の直方体形状に形成されており、当該受熱体４１の長手方向はＰ方向と略平行である。
この受熱体４１において、基板３１１に対向する側とは反対側には、図３及び図４に示すように、それぞれヒートパイプ４２が嵌め込まれる溝部４１１がＰ方向に沿って複数形成されている。
【００３０】
〔ヒートパイプの構成〕
ヒートパイプ４２（４２１，４２２）は、図２〜図４に示すように、一端側が受熱体４１に熱伝導可能に接続され、当該受熱体４１から伝導された熱を他端側に設けられた放熱フィン４３に伝導する。
これらヒートパイプ４２は、直線状に延出した受熱部４２Ａと、同じく直線状に延出した放熱部４２Ｂと、これら受熱部４２Ａ及び放熱部４２Ｂの間に形成された屈曲部４２Ｃとを有し、略Ｌ字状に形成されている。このうち、屈曲部４２Ｃは、本実施形態では、略直角に屈曲している。
【００３１】
このようなヒートパイプ４２は、それぞれＰ方向に沿って配置されるが、受熱部４２Ａに対する放熱部４２Ｂ及び屈曲部４２Ｃの位置に応じて、第１ヒートパイプ４２１と、第２ヒートパイプ４２２とに区分される。
詳述すると、第１ヒートパイプ４２１及び第２ヒートパイプ４２２の受熱部４２Ａは、それぞれ、受熱体４１の長手方向（すなわち、投射光学装置３５による投射方向であるＰ方向）に沿って溝部４１１に嵌め込まれ、当該受熱体４１に半田により固定される。
一方、第１ヒートパイプ４２１の屈曲部４２Ｃは、受熱部４２Ａに対してＰ方向先端側に位置しているのに対し、第２ヒートパイプ４２２の屈曲部４２Ｃは、受熱部４２Ａに対してＰ方向基端側に位置している。
【００３２】
また、第１ヒートパイプ４２１及び第２ヒートパイプ４２２の放熱部４２Ｂは、受熱体４１から離間する方向に、それぞれの屈曲部４２Ｃから延出している。そして、当該第１ヒートパイプ４２１の放熱部４２Ｂは、放熱フィン４３（第１放熱フィン４３１）に接続され、第２ヒートパイプ４２２の放熱部４２Ｂは、放熱フィン４３（第２放熱フィン４３２）に接続されている。
このようなヒートパイプ４２では、光源装置３１で生じた熱が受熱体４１を介して伝達される受熱部４２Ａ側の温度が、放熱フィン４３に接続される放熱部４２Ｂ側の温度より高くなるため、当該受熱部４２Ａの熱が、放熱部４２Ｂに伝導される。
【００３３】
なお、本実施形態では、４本の第１ヒートパイプ４２１と、４本の第２ヒートパイプ４２２との合計８本のヒートパイプ４２が受熱体４１に取り付けられている。これら第１ヒートパイプ４２１及び第２ヒートパイプ４２２は、鉛直方向に交互に配列されている。
このように第１ヒートパイプ４２１及び第２ヒートパイプ４２２を配列することにより、受熱体４１の温度分布の偏りを抑制でき、ひいては、基板３１１の温度分布の偏りを抑制できる。
【００３４】
〔放熱フィンの構成〕
各放熱フィン４３（４３１，４３２）は、鉛直面に沿う平板状の板状体４３Ａが水平方向に沿って、互いに等間隔に複数配列された構成を有し、当該各放熱フィン４３で構成は同じである。これら放熱フィン４３は、ダクト４５内において対向配置されている。
このような放熱フィン４３のうち、本発明の第１放熱部材に相当する第１放熱フィン４３１は、第２放熱フィン４３２に対してＰ方向先端側に位置する。この第１放熱フィン４３１は、第１ヒートパイプ４２１の放熱部４２Ｂが当該第１放熱フィン４３１の各板状体４３Ａを貫通するように、当該放熱部４２Ｂと熱伝導可能に接続されている。
【００３５】
また、本発明の第２放熱部材に相当する第２放熱フィン４３２は、第１放熱フィン４３１に対してＰ方向基端側に位置する。この第２放熱フィン４３２は、第２ヒートパイプ４２２の放熱部４２Ｂが当該第２放熱フィン４３２の各板状体４３Ａを貫通するように、当該放熱部４２Ｂと熱伝導可能に接続されている。
このような第１放熱フィン４３１及び第２放熱フィン４３２は、第１ヒートパイプ４２１及び第２ヒートパイプ４２２から伝導された熱を、それぞれ放熱する。この際、第１ヒートパイプ４２１及び第２ヒートパイプ４２２は、鉛直方向に沿って交互に配列されているので、受熱体４１におけるヒートパイプ４２の配列ピッチに比べ、各放熱フィン４３１，４３２におけるヒートパイプ４２の配列ピッチを２倍に広げることができる。従って、各放熱フィン４３による放熱効果を高めることができる。
【００３６】
〔冷却ファンの構成〕
冷却ファン４４は、ダクト４５内において第１放熱フィン４３１と第２放熱フィン４３２との間に配置される。この冷却ファン４４は、軸流ファンであり、吸気側が第２放熱フィン４３２を向き、排気側が第１放熱フィン４３１を向くように配置される。
この冷却ファン４４が駆動されると、筐体２外の冷却空気が吸気口２３１を介してダクト４５内に導入される。この冷却空気は、図４に示すように、冷却ファン４４の吸気面に到達する過程で第２放熱フィン４３２の板状体４３Ａ間を通過する。これにより、第２放熱フィン４３２に冷却空気が送風され、当該第２放熱フィン４３２が冷却される。
【００３７】
また、冷却ファン４４により吸引された冷却空気は、第１放熱フィン４３１に向けて吐出され、当該第１放熱フィン４３１の板状体４３Ａ間を通過する。これにより、第１放熱フィン４３１に冷却空気が送風され、当該第１放熱フィン４３１が冷却される。
これら第１放熱フィン４３１及び第２放熱フィン４３２の冷却に供された冷却空気は、ダクト４５内を更に流通して、正面２１に形成された排気口２１２から筐体２外に排出される。
【００３８】
〔冷却装置の作用〕
ここで、ヒートパイプの性質及びプロジェクターの使用状態について説明し、これらに対する冷却装置４Ａの作用を以下に述べる。
ヒートパイプは、一端側の温度が他端側の温度より高い場合に、当該一端側の熱を他端側に伝導する。この際、温度が高い一端側が他端側より低い位置（鉛直方向における下側）にあれば、当該一端側から他端側への熱伝導が効率よく行われる。
しかしながら、温度が高い一端側が他端側より高い位置（鉛直方向における上側）にあると、当該一端側から他端側への熱伝導効率が下がる。
【００３９】
一方、プロジェクター１Ａは、当該プロジェクター１Ａの底面が設置面に対向するように配置される正置き姿勢で、投射光学装置３５の投射方向が、水平面に対して傾斜する上向き傾斜状態及び下向き傾斜状態で利用されることがある。
他方、プロジェクター１Ａは、当該プロジェクター１Ａの底面が天井を向く天吊り姿勢で、投射光学装置３５の投射方向が、被投射面の法線に対して傾斜する下向き傾斜状態及び上向き傾斜状態で利用されることがある。
このようなプロジェクター１Ａの使用状態では、前述の冷却装置４Ａに第１ヒートパイプ４２１及び第２ヒートパイプ４２２の一方のみが設けられている場合では、前述の熱伝導が効果的に行われない状態が生じうる。
【００４０】
すなわち、冷却装置４Ａに第１ヒートパイプ４２１のみが設けられている場合には、正置き姿勢及び天吊り姿勢での上向き傾斜状態では、当該第１ヒートパイプ４２１の受熱部４２Ａは、放熱部４２Ｂより低い位置となる。この場合、当該受熱部４２Ａから放熱部４２Ｂへの熱伝導は効率よく行われる。
一方、正置き姿勢及び天吊り姿勢での下向き傾斜状態では、第１ヒートパイプ４２１の受熱部４２Ａは、放熱部４２Ｂより高い位置となる。この場合、当該受熱部４２Ａから放熱部４２Ｂへの熱伝導が行われづらいため、受熱体４１の冷却、ひいては、光源装置３１の冷却が適切に行われにくい。
【００４１】
また、冷却装置４Ａに第２ヒートパイプ４２２のみが設けられている場合で、正置き姿勢及び天吊り姿勢での下向き傾斜状態では、当該第２ヒートパイプ４２２の受熱部４２Ａが、放熱部４２Ｂに対して低い位置となる。この場合、当該受熱部４２Ａから放熱部４２Ｂへの熱伝導は効率よく行われる。
一方、正置き姿勢及び天吊り姿勢での上向き傾斜状態では、第２ヒートパイプ４２２の受熱部４２Ａが放熱部４２Ｂより低い位置となる。この場合、当該受熱部４２Ａから放熱部４２Ｂへの熱伝導が行われづらいため、前述の場合と同様に、受熱体４１の冷却、ひいては、光源装置３１の冷却が適切に行われにくい。
【００４２】
これに対し、本実施形態では、冷却装置４Ａは、放熱部４２Ｂが受熱部４２Ａに対してＰ方向（投射光学装置３５による光束の投射方向）先端側に位置し、かつ、Ｐ方向に沿って受熱体４１に取り付けられる第１ヒートパイプ４２１と、放熱部４２Ｂが受熱部４２Ａに対してＰ方向基端側に位置し、かつ、Ｐ方向に沿って受熱体４１に取り付けられる第２ヒートパイプ４２２とを備える。
【００４３】
このような構成により、正置き姿勢及び天吊り姿勢のいずれかで、かつ、上向き傾斜状態でプロジェクター１Ａが利用される場合には、第１ヒートパイプ４２１による受熱体４１から第１放熱フィン４３１への熱伝導が効率よく行われる。
また、正置き姿勢及び天吊り姿勢のいずれかで、かつ、下向き傾斜状態でプロジェクター１Ａが利用される場合には、第２ヒートパイプ４２２による受熱体４１から第２放熱フィン４３２への熱伝導が効率よく行われる。
従って、プロジェクター１Ａがどのような姿勢及び傾斜状態でも、受熱体４１の冷却、ひいては、冷却対象である光源装置３１の冷却を効率よく行うことができる。
【００４４】
以上説明した本実施形態に係るプロジェクター１Ａによれば、以下の効果がある。
すなわち、プロジェクター１Ａが、正置き姿勢及び天吊り姿勢のそれぞれで用いられる場合でも、当該プロジェクター１Ａの傾斜状態に関らず、受熱部４２Ａの位置が放熱部４２Ｂより低いヒートパイプ４２により、光源装置３１から伝導された受熱体４１の熱を、当該受熱体４１に接続される受熱部４２Ａから放熱部４２Ｂに効率よく伝導できる。従って、受熱体４１、ひいては、光源装置３１を効率よく冷却できる。
【００４５】
第１ヒートパイプ４２１の放熱部４２Ｂには、第１放熱フィン４３１が熱伝導可能に接続され、第２ヒートパイプ４２２の放熱部４２Ｂには、第２放熱フィン４３２が熱伝導可能に接続されている。これによれば、第１ヒートパイプ４２１及び第２ヒートパイプ４２２の一方のみが適切に機能する場合でも、当該一方のヒートパイプ４２に接続された放熱フィン４３により、受熱部４２Ａから放熱部４２Ｂに伝導された熱を効率よく放熱できる。従って、冷却対象である光源装置３１を効率よく冷却できる。
【００４６】
第１放熱フィン４３１及び第２放熱フィン４３２と、これら放熱フィン４３１，４３２に冷却空気を送風する冷却ファン４４は、ダクト４５内に設けられている。これによれば、冷却ファン４４により各放熱フィン４３１，４３２に送風される冷却空気の損失を抑制できる。従って、当該各放熱フィン４３１，４３２の冷却効果を高めることができ、光源装置３１を効率よく冷却できる。
また、ダクト４５に接続される排気口２１２は、筐体２において投射光学装置３５が露出する正面２１に形成されている。これによれば、プロジェクター１Ａの使用時に、当該排気口２１２が障害物により覆われることを抑制できる他、熱を帯びた冷却空気が、プロジェクター１Ａの使用者に向けて排出されることを抑制できる。
【００４７】
ダクト４５内において、第２放熱フィン４３２は、冷却ファン４４の吸気側に配置され、第１放熱フィン４３１は、冷却ファン４４の排気側に配置される。これによれば、各放熱フィン４３１，４３２に対して、１つの冷却ファン４４により冷却空気を送風できる。従って、冷却装置４Ａの構成を簡略化でき、製造コストを低減できる。
また、ダクト４５内における第１放熱フィン４３１と第２放熱フィン４３２との間に冷却ファン４４が設けられているので、当該冷却ファン４４の駆動によって生じる騒音をダクト４５外、ひいては、プロジェクター１Ａ外に漏れにくくすることができる。従って、プロジェクター１Ａの低騒音化を図ることができる。
【００４８】
第１ヒートパイプ４２１及び第２ヒートパイプ４２２は、それぞれ屈曲部４２Ｃにて屈曲しており、これらヒートパイプ４２１，４２２の各放熱部４２Ｂに接続される第１放熱フィン４３１及び第２放熱フィン４３２は、ダクト４５内で対向するように配置されている。これによれば、冷却ファン４４により、第１放熱フィン４３１及び第２放熱フィン４３２に対して直線的に冷却空気を送風できる。従って、冷却空気の流路が屈曲する場合に比べ、当該冷却空気の風圧及び風量の損失を抑制でき、各放熱フィン４３１，４３２の冷却効率を向上でき、ひいては、光源装置３１を一層効率よく冷却できる。
【００４９】
［第２実施形態］
以下、本発明の第２実施形態について説明する。
本実施形態に係るプロジェクターは、前述のプロジェクター１Ａと同様の構成及び機能を有する。ここで、当該プロジェクター１Ａでは、各ヒートパイプ４２における屈曲部４２Ｃの角度は略直角であったが、本実施形態に係るプロジェクターでは、ヒートパイプにおける屈曲部の角度が鈍角である。この点で、本実施形態に係るプロジェクターと、プロジェクター１Ａとは相違する。なお、以下の説明では、既に説明した部分と同一または略同一である部分については、同一の符号を付して説明を省略する。
【００５０】
図５は、本実施形態に係るプロジェクター１Ｂの冷却装置４Ｂを示す斜視図である。また、図６は、当該冷却装置４Ｂを示す平面図である。
本実施形態に係るプロジェクター１Ｂは、詳しい図示を省略するが、冷却装置４Ａに代えて冷却装置４Ｂを備える他は、プロジェクター１Ａと同様の構成及び機能を有する。
冷却装置４Ｂは、図５及び図６に示すように、受熱体４１、複数のヒートパイプ４６、一対の放熱フィン４７、冷却ファン４４及びダクト４５（図５及び図６では図示省略）を備え、冷却対象である光源装置３１を冷却する。
【００５１】
〔ヒートパイプの構成〕
ヒートパイプ４６は、前述のヒートパイプ４２と同様に、Ｐ方向に沿って配置される。これらヒートパイプ４６は、受熱体４１の溝部４１１に熱伝導可能に取り付けられる直線状の受熱部４６Ａと、放熱フィン４７に熱伝導可能に接続される直線状の放熱部４６Ｂと、これら受熱部４６Ａ及び放熱部４６Ｂにより挟まれ、かつ、鈍角で屈曲する屈曲部４６Ｃとを有する。この屈曲部４６Ｃの角度は、当該屈曲部４６Ｃから受熱部４６Ａが延出する方向と、当該屈曲部４６Ｃから放熱部４６Ｂが延出する方向とのなす角のうち、小さい方の角度をいい、本実施形態では、略１２０度に設定されている。
【００５２】
このようなヒートパイプ４６は、受熱部４６Ａに対する放熱部４６Ｂ及び屈曲部４６Ｃの位置に応じて、第１ヒートパイプ４６１と、第２ヒートパイプ４６２とに区分される。
すなわち、受熱部４６Ａに対してＰ方向先端側に屈曲部４６Ｃ及び放熱部４６Ｂが位置するヒートパイプ４６が、第１ヒートパイプ４６１であり、また、受熱部４６Ａに対してＰ方向基端側に屈曲部４６Ｃ及び放熱部４６Ｂが位置するヒートパイプ４６が、第２ヒートパイプ４６２である。
これら第１ヒートパイプ４６１と第２ヒートパイプ４６２とは、それぞれの屈曲部４６Ｃから離れるに従って、放熱部４６Ｂにおける屈曲部４６Ｃ側とは反対側の端部が、互いに離れるように配置されている。
そして、第１ヒートパイプ４６１の放熱部４６Ｂには、放熱フィン４７のうち、第１放熱フィン４７１が熱伝導可能に接続され、第２ヒートパイプ４６２の放熱部４６Ｂには、第２放熱フィン４７２が熱伝導可能に接続される。
【００５３】
なお、冷却装置４Ｂでは、冷却装置４Ａと同様に、４本の第１ヒートパイプ４６１と、４本の第２ヒートパイプ４６２との合計８本のヒートパイプ４６が受熱体４１に取り付けられている。これら第１ヒートパイプ４６１及び第２ヒートパイプ４６２は、鉛直方向に交互に配列されている。
このように第１ヒートパイプ４６１及び第２ヒートパイプ４６２を配列することにより、受熱体４１の温度分布の偏り、ひいては、基板３１１の温度分布の偏りを抑制できる。この他、受熱体４１でのヒートパイプ４６の配列ピッチに比べ、各放熱フィン４７でのヒートパイプ４６の配列ピッチが広がるので、各放熱フィン４７の放熱効果を向上できる。
【００５４】
〔放熱フィンの構成〕
一対の放熱フィン４７（４７１，４７２）は、鉛直面に沿って配置される複数の板状体４７Ａが水平方向に沿って、互いに等間隔に複数配列された構成を有する。これら放熱フィン４７は、それぞれ同じ構成を有するが、第１放熱フィン４７１と第２放熱フィン４７２とは、それぞれ上下が逆となるように配置される。これら放熱フィン４７は、前述のヒートパイプ４６１，４６２が屈曲形成されていることにより、ダクト４５内で対向配置されている。
これら放熱フィン４７のうち、本発明の第１放熱部材に相当する第１放熱フィン４７１は、第２放熱フィン４７２に対してＰ方向先端側に位置し、第１放熱フィン４７１には、第１ヒートパイプ４６１の放熱部４６Ｂが各板状体４７Ａを貫通するように接続される。
また、本発明の第２放熱部材に相当する第２放熱フィン４７２は、第１放熱フィン４７１に対してＰ方向基端側に位置し、第２放熱フィン４７２には、第２ヒートパイプ４６２の放熱部４６Ｂが各板状体４７Ａを貫通するように接続される。
そして、各放熱フィン４７１，４７２は、第１ヒートパイプ４６１及び第２ヒートパイプ４６２から伝導された熱を、各板状体４７Ａにより放熱する。
【００５５】
ここで、板状体４７Ａは、前述の板状体４３Ａとは異なり、一対の平面部４７Ａ１，４７Ａ２と、これら平面部４７Ａ１，４７Ａ２間を接続する接続部４７Ａ３とを有する。
平面部４７Ａ１は、Ｐ方向に沿うように配置され、第１放熱フィン４７１ではＰ方向基端側に位置し、第２放熱フィン４７２ではＰ方向先端側に位置する。
平面部４７Ａ２は、Ｐ方向に沿うように配置され、第１放熱フィン４７１ではＰ方向先端側に位置し、第２放熱フィン４７２ではＰ方向基端側に位置する。
接続部４７Ａ３は、Ｐ方向に対して傾斜している。この接続部４７Ａ３の傾斜方向は、当該接続部４７Ａ３を貫通する放熱部４６Ｂの延出方向（放熱部４６Ｂの軸方向）に対して直交する方向である。
【００５６】
以上説明した本実施形態に係るプロジェクター１Ｂによれば、前述のプロジェクター１Ａと同様の効果を奏する他、以下の効果を奏することができる。
冷却装置４Ｂにおいて、第１放熱フィン４７１と第２放熱フィン４７２との間に配置された冷却ファン４４が駆動すると、前述のように、吸気口２３１からダクト４５内に冷却空気が導入される。この冷却空気は、Ｐ方向に沿って流通して冷却ファン４４に吸引される過程で、図６に示すように、第２放熱フィン４７２の板状体４７Ａ間を流通して、当該第２放熱フィン４７２を冷却する。この際、各板状体４７Ａの平面部４７Ａ１，４７Ａ２は、Ｐ方向に沿うように配置されており、また、当該Ｐ方向に対する接続部４７Ａ３の交差角は、鈍角（本実施形態では略１５０度）であるので、冷却空気は、各板状体４７Ａ間を停滞することなく流通できる。
【００５７】
第２放熱フィン４７２を冷却した冷却空気は、冷却ファン４４により吸引されて第１放熱フィン４７１に向けて吐出され、当該第１放熱フィン４７１の板状体４７Ａ間を流通する。この際、前述の第２放熱フィン４７２と同様に、各板状体４７Ａの平面部４７Ａ１，４７Ａ２がＰ方向に沿うように配置され、また、当該Ｐ方向に対する接続部４７Ａ３の交差角が鈍角であることにより、冷却空気は、各板状体４７Ａ間を停滞することなく流通できる。
従って、第２放熱フィン４７２及び第１放熱フィン４７１に対して円滑に冷却空気が流通するので、当該第２放熱フィン４７２及び第１放熱フィン４７１を効率よく冷却でき、ひいては、冷却対象である光源装置３１を効率よく冷却できる。
【００５８】
また、第１ヒートパイプ４６１及び第２ヒートパイプ４６２は、屈曲部４６Ｃの角度が鈍角となるように屈曲形成されている。これにより、図６に示すように、受熱体４１における溝部４１１が形成された面の延長面から、各放熱部４６Ｂにおける受熱体４１側とは反対側の端部までの寸法Ｌを、略直角に屈曲形成されたヒートパイプ４２を設けた場合に比べて小さくすることができる。従って、当該ヒートパイプ４６１，４６２、放熱フィン４７及び冷却ファン４４を内部に収納するダクト４５の内径を小さくすることができるので、冷却装置４Ｂ、ひいては、プロジェクター１Ｂの大型化を抑制できる。
【００５９】
加えて、屈曲部４６Ｃの角度が鈍角であることから、当該角度が直角以下である場合に比べて、当該屈曲部４６Ｃが放熱部４６Ｂに変わる部分を受熱体４１に近い位置とすることができる。これによれば、放熱部４６Ｂにおいて、受熱体４１に近い位置に放熱フィン４７を配置させることができる。従って、受熱体４１から放熱フィン４７への熱の移動経路を短縮できるので、当該受熱体４１の冷却を迅速に行うことができ、ひいては、光源装置３１を効率よく冷却できる。
【００６０】
更に、冷却装置４Ｂは、鈍角に屈曲する屈曲部４６Ｃの位置が受熱体４１の端部ではない構造となっている。これにより、受熱体４１の中央領域には、ヒートパイプ４６が８本配置され、受熱体４１の中央領域から端部までの間（ヒートパイプ４６の屈曲部４６Ｃの位置から、当該屈曲部４１から受熱部４６Ａに向かう方向とは反対方向の受熱体４１の端部までの間）には、それぞれヒートパイプが４本配置される。このように、受熱体４１において温度が高くなる中央領域に、当該受熱体４１の端部より多くのヒートパイプ４６が存在することで、受熱体４１の温度をより均一にし、当該受熱体４１の最大温度を下げることができる。
【００６１】
［実施形態の変形］
本発明は前述の実施形態に限定されるものではなく、本発明の目的を達成できる範囲での変形、改良等は本発明に含まれるものである。
前記各実施形態では、第１ヒートパイプ４２１，４６１は、第１放熱フィン４３１，４７１に接続され、第２ヒートパイプ４２２，４６２は、第２放熱フィン４３２，４７２に接続されているとした。しかしながら、本発明はこれに限らない。すなわち、１つの放熱部材に、各ヒートパイプ４２，４６が熱伝導可能に接続される構成としてもよい。
【００６２】
前記各実施形態では、第１放熱部材及び第２放熱部材として、板状体４３Ａ，４７Ａが等間隔に複数配列された放熱フィン４３，４７を挙げたが、本発明はこれに限らない。すなわち、放熱特性を有する材料、形状及び性質を有するものであれば、放熱部材として採用可能である。例えば、複数の突起を有するヒートシンクを放熱部材として採用してもよい。
【００６３】
前記各実施形態では、冷却ファン４４は、ダクト４５内において一対の放熱フィン４３，４７の間に配置されるとしたが、本発明はこれに限らない。すなわち、冷却空気の流路において、一対の放熱フィン４３，４７に対して当該冷却空気の流通方向先端側（下流側）又は基端側（上流側）に、冷却ファン４４が配置されていてもよい。すなわち、各放熱フィン４３，４７に冷却空気を適切に供給可能であれば、冷却ファン４４の配置は適宜設定可能である。
また、ダクト４５内の冷却空気の流通方向も、投射光学装置３５による光束の投射方向であるＰ方向に沿う方向でなくてもよい。
【００６４】
前記第１実施形態では、ヒートパイプ４２の屈曲部４２Ｃの角度は略直角であるとし、前記第２実施形態では、ヒートパイプ４６の屈曲部４６Ｃの角度は１２０度であるとしたが、本発明はこれに限らない。すなわち、ヒートパイプにおける屈曲部の角度は、適宜設定してよい。また、当該角度を鈍角に設定する場合でも、ヒートパイプ、放熱フィン及び冷却ファンの配置や、冷却空気の流通方向、更には、投射光学装置による光束の投射方向等に基づいて、適宜設定可能である。
【００６５】
前記各実施形態では、第１放熱部材としての第１放熱フィン４３１，４７１と、第２放熱部材としての第２放熱フィン４３２，４７２とは、ダクト４５内で対向するように配置され、これらの間に冷却ファン４４が配置されるとしたが、本発明はこれに限らない。すなわち、第１放熱部材と第２放熱部材とを離間配置し、これら放熱部材を個別に冷却する冷却ファンをそれぞれ設けてもよい。
【００６６】
前記第１実施形態では、第１ヒートパイプ４２１と第２ヒートパイプ４２２とは、同じ形状及び同じ構成を有し、前記第２実施形態では、第１ヒートパイプ４６１と第２ヒートパイプ４６２とは、同じ形状及び同じ構成を有するとした。しかしながら、本発明はこれに限らない。すなわち、第１ヒートパイプと第２ヒートパイプとで、形状及び構成の異なるヒートパイプを用いてもよい。例えば、当該第１ヒートパイプ及び第２ヒートパイプのうちの少なくとも一方に、屈曲部を有しない直線状のヒートパイプを採用してもよい。各放熱フィン４３，４７についても、それぞれ同じ形状及び構成でなくてもよい。
【００６７】
前記各実施形態では、各放熱フィン４３，４７は、冷却ファン４４により供給される冷却空気によって冷却されるとしたが、本発明はこれに限らない。すなわち、ダクト４５内の密閉性等を確保できれば、エチレングリコール等の液状の冷却流体により、当該各放熱フィンを冷却する構成としてもよい。
【００６８】
前記各実施形態では、光源装置３１は、固体光源を有するとしたが、本発明はこれに限らない。例えば、超高圧水銀ランプ等の光源ランプ及び反射鏡を有する光源装置を採用してもよい。
前記各実施形態では、冷却装置４Ａ，４Ｂは、冷却対象として光源装置３１を冷却するとしたが、本発明はこれに限らない。すなわち、他の構成を冷却対象に設定してもよい。例えば、光変調装置、制御装置及び電源装置を冷却対象としてもよい。
【００６９】
前記各実施形態では、プロジェクター１Ａ，１Ｂは、それぞれ液晶パネルを有する３つの光変調装置３３を備える構成としたが、本発明はこれに限らない。すなわち、２つ以下、或いは、４つ以上の光変調装置を備えたプロジェクターにも、本発明を適用できる。
また、前記各実施形態では、光変調装置３３は、光束入射面と光束射出面とが異なる透過型の液晶パネルを有する構成としたが、光入射面と光射出面とが同一となる反射型の液晶パネルを有する構成としてもよい。
【００７０】
前記各実施形態では、液晶パネル及び偏光板を有する光変調装置３３を備えたプロジェクター１Ａ，１Ｂを例示したが、入射される光束を変調して画像情報に応じた画像（光学像）を形成する光変調装置であれば、他の構成の光変調装置を採用してもよい。例えば、マイクロミラーを用いたデバイスなど、液晶以外の光変調装置を用いたプロジェクターにも、本発明を適用することも可能である。
【産業上の利用可能性】
【００７１】
本発明は、プロジェクターに好適に利用できる。
【符号の説明】
【００７２】
１Ａ，１Ｂ…プロジェクター、４Ａ，４Ｂ…冷却装置、３１…光源装置（冷却対象）、３３（３３Ｒ，３３Ｇ，３３Ｂ）…光変調装置、３５…投射光学装置、４４…冷却ファン、４５…ダクト、４２１，４６１…第１ヒートパイプ、４２２，４６２…第２ヒートパイプ、４３１，４７１…第１放熱フィン（第１放熱部材）、４３２，４７２…第２放熱フィン（第２放熱部材）、４２Ａ，４６Ａ…受熱部、４２Ｂ，４６Ｂ…放熱部、４２Ｃ，４６Ｃ…屈曲部、Ｐ…投射方向。
【図１】
2013025212.tif 000003
【図２】
2013025212.tif 000004
【図３】
2013025212.tif 000005
【図４】
2013025212.tif 000006
【図５】
2013025212.tif 000007
【図６】
2013025212.tif 000008